(57)【要約】【課題】着用者の腰部付近に配置されたロープとの連結器が、落下時に着用者の背中の中央部付近に移動するハーネス型安全帯の上に着用した場合においても、安全性を確保することができる空調衣服の服本体又は空調衣服を提供する。【解決手段】通気性のない又はファン２，２による空気の導入によって膨らませることができる程度の通気性を有するシート状部材によって、少なくとも着用者の胴部を覆う形状に形成され、ファン２，２を取り付けるためのファン取付部１３，１３と、ファン２，２によって導入された空気を排出する襟部空気排出部１４及び袖部空気排出部１５，１５と、後身頃に形成され、下方から力が掛かった際に左右に分割される分割手段１６，１６と、を備える。【選択図】図２
0003216874.tif 000002
【実用新案登録請求の範囲】
【請求項１】
通気性のない又は空気導入手段による空気の導入によって膨らませることができる程度の通気性を有するシート状部材によって、少なくとも着用者の胴部を覆う形状に形成され、
前記空気導入手段を取り付けるための取付部と、
前記空気導入手段によって導入された空気を排出する空気排出部と、
後身頃に形成され、下方から力が掛かった際に左右に分割される分割手段と、
を備えることを特徴とする空調衣服の服本体。
【請求項２】
前記分割手段は、後身頃の左側と右側とにそれぞれ備えられていることを特徴とする請求項１に記載の空調衣服の服本体。
【請求項３】
後身頃の上部に、ロープを貫通させることができるロープ貫通手段を備えることを特徴とする請求項１又は２に記載の空調衣服の服本体。
【請求項４】
後身頃の内面側の前記分割手段の上端部よりも上部に、前記空気導入手段と電源手段とを接続する接続手段としての接続ケーブルを、前記分割手段の上端部よりも上部を通過する状態で固定するケーブル保持手段を備えることを特徴とする請求項１から３のいずれか一項に記載の空調衣服の服本体。
【請求項５】
前記分割手段は、後身頃に、下端部から上方へと延在する切れ目を設け、当該切れ目を、下端部にロック機構を有しない線ファスナー又は面ファスナーによって着脱自在とすることにより形成されていることを特徴とする請求項１から４のいずれか一項に記載の空調衣服の服本体。
【請求項６】
前記分割手段は、後身頃に、上下方向に裂けやすいシート状部材によって形成された部分を備えることによって形成されていることを特徴とする請求項１から４のいずれか一項に記載の空調衣服の服本体。
【請求項７】
請求項１から６のいずれか一項に記載の空調衣服の服本体と、
前記服本体の内部に空気を導入する空気導入手段と、
前記空気導入手段に電力を供給する電源手段と、
前記空気導入手段と前記電源手段とを接続する接続手段と、
を備えることを特徴とする空調衣服。
【請求項８】
前記空気導入手段は、前記服本体の後身頃の左側と右側との２か所に備えられ、前記空気導入手段のそれぞれに対し、別個に前記電源手段と、前記接続手段と、が備えられていることを特徴とする請求項７に記載の空調衣服。
【考案の詳細な説明】
【技術分野】
【０００１】
本考案は、空調衣服の服本体及び空調衣服に関するものである。
【背景技術】
【０００２】
近年、身体を冷却する空調衣服が実用化され、急速に普及しつつある。従来の空調衣服は、通気性の低い素材で形成された服本体と、服本体の後側の下方に取り付けられた２つのファンと、２つのファンに電力を供給するための電源装置と、電源装置と２つのファンとを電気的に接続するための電源ケーブルと、を備える。
【０００３】
ファンを作動させると、大量の空気がファンから服本体内に取り込まれる。取り込まれた空気の圧力により服本体と着用者の身体との間に空気流通路が自動的に形成され、取り込まれた空気は、形成された空気流通路を着用者の身体又は下着の表面に沿って流通し、例えば、襟部や袖部の開口部から外部に排出される。
そして、取り込まれた空気が、服本体と着用者の身体又は下着との間の空気流通路を流通する間に、身体から出た汗を蒸発させ、蒸発する際の気化熱により身体が冷却される（例えば、特許文献１参照）。
【０００４】
このような空調衣服は、高所での作業時に着用する際には、安全を確保するため、ハーネス型安全帯の上に着用されることも想定されるところ、ハーネス型安全帯の上に着用し易くするため、空調衣服の服本体の背上部に、ハーネス型安全帯に備えられたロープを貫通させるための貫通手段を備えた空調衣服が知られている（例えば、特許文献２参照。）
また、ハーネス型安全帯としては、ロープを取り付けるための連結器を、通常時には取り付け作業が容易な着用者の腰部付近に配置しつつ、着用者が落下した際には、身体のバランスを安定させると共に落下衝撃荷重を分散させるため、着用者の背中の中央部付近に移動させるものが知られている（例えば、特許文献３参照）。
【先行技術文献】
【特許文献】
【０００５】
【特許文献１】国際公開第２００５／０６３０６５号
【特許文献２】特開２０１７−１４６４４号公報
【特許文献３】特開２００９−５７６５号公報
【考案の概要】
【考案が解決しようとする課題】
【０００６】
特許文献２に記載の空調衣服は、着用者の背上部に対応する位置にロープが取り付けられるハーネス型安全帯に対応したものである。したがって、これを、上記特許文献３に記載されているようなハーネス型安全帯の上に着用した場合、空調衣服の背上部に備えられた貫通手段を用いることはできない。したがって、着用者の腰部付近に配置された連結器に接続されたロープは、空調衣服の裾の下から引き出されることとなる。
【０００７】
このような状態で着用者が落下すると、ロープが取り付けられた連結器が、着用者の背中の中央部付近に移動することとなるが、この際、空調衣服の裾が、ロープによって捲り上げられてしまう。このような状態となると、着用者が空調衣服によって締め付けられ、場合によっては首が締まってしまう可能性もあり、危険性が高い。
【０００８】
本考案の課題は、着用者の腰部付近に配置されたロープとの連結器が、落下時に着用者の背中の中央部付近に移動するハーネス型安全帯の上に着用した場合においても、安全性を確保することができる空調衣服の服本体又は空調衣服を提供することである。
【課題を解決するための手段】
【０００９】
上記課題を解決するため、請求項１に記載の考案は、空調衣服の服本体において、
通気性のない又は空気導入手段による空気の導入によって膨らませることができる程度の通気性を有するシート状部材によって、少なくとも着用者の胴部を覆う形状に形成され、
前記空気導入手段を取り付けるための取付部と、
前記空気導入手段によって導入された空気を排出する空気排出部と、
後身頃に形成され、下方から力が掛かった際に左右に分割される分割手段と、
を備えることを特徴とする。
【００１０】
請求項２に記載の考案は、請求項１に記載の空調衣服の服本体において、
前記分割手段は、後身頃の左側と右側とにそれぞれ備えられていることを特徴とする。
【００１１】
請求項３に記載の考案は、請求項１又は２に記載の空調衣服の服本体において、
後身頃の上部に、ロープを貫通させることができるロープ貫通手段を備えることを特徴とする。
【００１２】
請求項４に記載の考案は、請求項１から３のいずれか一項に記載の空調衣服の服本体において、
後身頃の内面側の前記分割手段の上端部よりも上部に、前記空気導入手段と電源手段とを接続する接続手段としての接続ケーブルを、前記分割手段の上端部よりも上部を通過する状態で固定するケーブル保持手段を備えることを特徴とする。
【００１３】
請求項５に記載の考案は、請求項１から４のいずれか一項に記載の空調衣服の服本体において、
前記分割手段は、後身頃に、下端部から上方へと延在する切れ目を設け、当該切れ目を、下端部にロック機構を有しない線ファスナー又は面ファスナーによって着脱自在とすることにより形成されていることを特徴とする。
【００１４】
請求項６に記載の考案は、請求項１から４のいずれか一項に記載の空調衣服の服本体において、
前記分割手段は、後身頃に、上下方向に裂けやすいシート状部材によって形成された部分を備えることによって形成されていることを特徴とする。
【００１５】
請求項７に記載の考案は、空調衣服において、
請求項１から６のいずれか一項に記載の空調衣服の服本体と、
前記服本体の内部に空気を導入する空気導入手段と、
前記空気導入手段に電力を供給する電源手段と、
前記空気導入手段と前記電源手段とを接続する接続手段と、
を備えることを特徴とする。
【００１６】
請求項８に記載の考案は、請求項７に記載の空調衣服において、
前記空気導入手段は、前記服本体の後身頃の左側と右側との２か所に備えられ、前記空気導入手段のそれぞれに対し、別個に前記電源手段と、前記接続手段と、が備えられていることを特徴とする。
【考案の効果】
【００１７】
本発明によれば、着用者の腰部付近に配置されたロープとの連結器が、落下時に着用者の背中の中央部付近に移動するハーネス型安全帯の上に着用した場合においても、安全性を確保することができる空調衣服の服本体又は空調衣服を提供することができる。
【図面の簡単な説明】
【００１８】
【図１】（ａ）は、実施形態に係る空調衣服の第一開閉手段を閉じた状態における正面図、（ｂ）は、実施形態に係る空調衣服の第一開閉手段を閉じた状態における背面図である。なお、（ｂ）においては、ロープ挿通部が服本体の外面側に引き出された状態を図示している。この点は他の図においても同様である。
【図２】実施形態に係る空調衣服の第一開閉手段を開いた状態における正面図である。
【図３】ロープ貫通手段の概略斜視図である。
【図４】実施形態に係る空調衣服のファンの概略図である。
【図５】変形例に係る空調衣服の第一開閉手段を開いた状態における正面図である。
【考案を実施するための形態】
【００１９】
以下、本考案の実施形態である空調衣服について、図１から図５に基づいて説明する。ただし、本発明の技術的範囲は図示例に限定されない。
なお、以下においては、着用者が空調衣服を着用した状態を基準として、着用者の前側を前、着用者の後側を後、着用者の上側を上、着用者の下側を下、着用者の右手側を右、着用者の左手側を左と定めて説明する。
【００２０】
［実施形態の構成］
実施形態に係る空調衣服１００は、図２に示すように、服本体１と、服本体１内部に空気を導入するファン２，２と、ファン２，２に電力を供給する電源部３と、電源部３とファン２，２とを接続する接続ケーブル４と、を備える。
【００２１】
｛服本体｝
服本体１は、図１及び図２に示すように、通気性のない又はファン２，２による空気の導入によって膨らませることができる程度の通気性を有するシート状部材によって、着用者の胴部及び腕部を覆う形状に形成されている。本実施形態では、服本体１をブルゾン型の上衣の形状に形成しているが、服本体１の形状はこれに限られず、例えば着用者の胴部のみを覆うベスト型に形成してもよい。
服本体１は、第一開閉手段１１と、第一空気漏れ防止手段１２と、ファン取付部１３，１３と、襟部空気排出部１４と、袖部空気排出部１５，１５と、分割手段１６，１６と、電源部保持手段１７と、ケーブル保持手段１８，１８と、ロープ貫通手段１９と、を備え、ファン取付部１３，１３からファン２，２によって取り込まれた外気が、襟部空気排出部１４と、袖部空気排出部１５，１５と、から排出されるように構成されている。
【００２２】
（第一開閉手段）
第一開閉手段１１は、図１及び図２に示すように、服本体１の前身頃に備えられ、空調衣服１００を着用する際に、服本体１の前部を開閉するためのものである。第一開閉手段１１としては、例えば、線ファスナー等が用いられる。
【００２３】
（第一空気漏れ防止手段）
第一空気漏れ防止手段１２は、図１及び図２に示すように、服本体１下部に備えられた、服本体１と着用者の身体との間の空間内の空気が服本体１の裾部から外部に漏れることを防止するための手段であり、例えば、服本体１の下部の端部付近に、ゴム紐等の伸縮性のある部材を、着用者の身体を周回するように備えることによって形成される。空調衣服１００の着用時においては、第一空気漏れ防止手段１２によって、服本体１の裾部が絞り込まれて着用者の身体に密着し、服本体１下部から空気が外部に漏れることを防止することができる。
【００２４】
（ファン取付部）
ファン取付部１３は、服本体１の服地に形成された開口孔１３１，１３１と、開口孔１３１，１３１の周囲を補強する開口孔補強部材１３２，１３２と、からなり、ファン２，２が取り付けられる。
２つのファン取付部１３，１３は、図１及び図２に示すように、服本体１の後身頃において、上下方向に同一の高さに形成されている。
なお、ファン取付部１３，１３が形成される位置としては、上記の位置に限られず、服本体１の側面、前面等に形成することも可能である。また、ファン取付部１３が形成される個数は、２か所に限られず、これより少数又は多数のファン取付部１３を形成し、これに対応した数のファン２を備えてもよい。
【００２５】
開口孔１３１、１３１は、図１及び図２に示すように、服本体１の服地の着用者の腰の左右に対応する位置に形成された、空調衣服１００の着用時において、外部と、服本体１と着用者の身体との間の空間と、を繋ぐこととなる孔部である。
【００２６】
開口孔補強部材１３２，１３２は、例えばプラスチック等によって形成された扁平な環状の部材であり、中心に開口孔１３１，１３１と大きさが略一致する孔部１３２１，１３２１を有する。図２に示すように、開口孔補強部材１３２，１３２は、開口孔１３１，１３１に孔部１３２１，１３２１が重なるように、服本体１の内面側に取り付けられる。これによって、服本体１の開口孔１３１，１３１周辺が補強され、ファン２，２を開口孔１３１，１３１に取り付け易くなる。
開口孔補強部材１３２，１３２の服本体１への取り付けには、縫合、接着等任意の方法を用いることができ、また、開口孔補強部材１３２，１３２を服本体１の内面側から覆う裏地が備えられていてもよい。
【００２７】
（袖部空気排出部）
襟部空気排出部１４は、図１及び図２に示すように、ファン２、２によってファン取付部１３、１３から導入された空気を、着用者の身体又は下着に沿って流通させた後に排出するため、着用者の首と服本体１の襟部の端部との間に形成された開口部である。
【００２８】
（袖部空気排出部）
袖部空気排出部１５、１５は、図１及び図２に示すように、ファン２、２によってファン取付部１３、１３から導入された空気を、着用者の身体又は下着に沿って流通させた後に排出するため、着用者の腕と服本体１の袖部の端部との間に形成された開口部である。
【００２９】
（分割手段）
分割手段１６，１６は、図１及び図２に示すように、服本体１の後身頃に形成された、空調衣服１００の着用中に服本体１に下方から力が掛かった場合に、服本体１に上下に切れ目が生じ、容易に左右に分割されるように構成された部分である。
【００３０】
分割手段１６，１６としては、通常使用時の気密性を確保しつつ、下方から力が掛かった場合に、容易に左右に分割されるものであれば任意の構成を用いることができるが、例えば、服本体１の後身頃に、下端部から上方へと切れ目を形成した上で、当該切れ目に、下端部にロック機構を有せず、下方から力が掛かった際に容易に外れるアンロック型の線ファスナーや、面ファスナー等を備えることによって形成される。図１及び図２においては、アンロック型の線ファスナーを用いた場合につき図示している。
なお、面ファスナーを用いる場合には、例えば、切れ目を、その左右の服地が僅かに重なるように形成し、重なった部分に、面ファスナーを切れ目の下端部から上端部に亘って備えることにより、分割手段１６，１６を形成する。
【００３１】
また、一度分割された場合に再利用することが不可能となるものの、例えば、服本体１の後身頃の所定の位置に、左右方向に細く、上下方向に長い形状となるように、不織布等の上下方向に裂けやすい生地によって形成された部分を形成しておき、服本体１に下方から力が加わった場合に、当該部分が裂けて切れ目が形成されるようにしてもよい。
また、例えば、服本体１の後身頃のファン取付部１３、１３の間の部分の全面を、繊維配向の調整等によって、上下方向に裂けやすいように形成されたシート材を用いて形成し、ファン取付部１３、１３の間の部分の任意の位置において、服本体１が上下方向に裂けるように形成することも可能である。
【００３２】
分割手段１６、１６は、図１及び図２に示すように、服本体１の着用者の背中の左側と右側とに対応する位置、具体的には、右側のファン取付部１３の左側近傍と、左側のファン取付部１３の右側近傍と、の２か所に備えられていることが好ましい。この場合、ロープを取り付けるための連結器が着用者の腰部の左側に配置されるハーネス型安全帯と、着用者の腰部の右側に配置されるハーネス型安全帯と、の両者に対応することが可能になる。
ただし、分割手段１６，１６の配置及び形成数はこれに限られず、例えば、ロープを取り付けるための連結器が着用者の腰部の左側に配置されるハーネス型安全帯又は着用者の腰部の右側に配置されるハーネス型安全帯のいずれかにのみに対応することを念頭に、左右いずれかのみに分割手段１６が備えられるようにすることも可能である。
【００３３】
（電源部保持手段）
電源部保持手段１７は、図２に示すように、服本体１の内面側に形成されたポケットであり、電源部３が収納される。図２においては、電源部保持手段１７が、服本体１の前身頃の左側の下方の位置に備えられた場合について図示したが、これに限られず、服本体１の内面側の任意の位置に備えることが可能である。
なお、電源部保持手段１７としては、必ずしもポケットを用いる必要はなく、電源部３を服本体１に着脱自在に装着することが可能であれば、任意の構成を採用することができる。さらに、例えば着用者のズボンのベルト等に電源部３をクリップ等を用いて取り付けることにより、電源部３が服本体１に装着されないようにすることも可能である。また、空調衣服１００の内側に着用したハーネス型安全帯のベルトの所定の位置に、電源部３をクリップ等を用いて取り付けてもよい。
【００３４】
（ケーブル保持手段）
ケーブル保持手段１８、１８は、接続ケーブル４を、服本体１の内面側に保持するための手段であり、例えば、接続ケーブル４を挿通可能な開口部を有し、当該開口部に接続ケーブル４を挿通させることによって、これを保持することができるように構成されている。
【００３５】
ケーブル保持手段１８、１８は、図２に示すように、服本体１の後身頃であって、分割手段１６．１６の上端部よりも上方に設けられている。これによって、接続ケーブル４を、分割手段１６、１６と重ならないように保持することができる。
【００３６】
ケーブル保持手段１８、１８としては、接続ケーブル４を服本体１内面側において所定の位置に保持することができれば、種々の形状及び材料のものを使用可能であり、例えば、一般的なベルト通しのように、縦長の布を上下２カ所において縫い付けることにより形成することができる。
【００３７】
また、ケーブル保持手段１８の配置としては、図２においては、服本体１の後身頃の分割手段１６，１６の上端部よりも上方において、ロープ貫通手段１９の左右に備えられた場合につき図示したが、接続ケーブル４を、分割手段１６，１６の分割の妨げとならないように保持することが可能であれば、具体的な配置位置はこれに限られない。
【００３８】
（ロープ貫通手段）
ロープ貫通手段１９は、ハーネス型安全帯の着用者の背上部に対応する位置に接続されたロープを引き出すための貫通孔である。
ロープを取り付けるための連結器が、着用者の腰部付近から着用者の背中の中央部付近へと移動するタイプのハーネス型安全帯には、同時に、着用者の背上部付近に固定されたロープも備え、２本のロープによって着用者を支えるように構成されたものも存在することから、ロープ貫通手段１９は、このようなハーネス型安全帯に対応できるように備えられるものである。
【００３９】
ロープ貫通手段１９は、図１及び図２に示すように、服本体１の後身頃の左右方向中央上部に備えられ、図３に示すように、服本体１の後身頃の服地に形成された開閉自在な孔部である第二開閉手段１９１と、ロープ挿通部１９２と、第二空気漏れ防止手段１９３と、からなる。
【００４０】
第二開閉手段１９１は、図１及び図３に示すように、服本体１の後身頃の背上部に形成された上下方向の切れ目を開閉自在とすることにより形成されている。第二開閉手段１９１を開閉自在とする手段としては、例えば、前身頃の第一開閉手段１１と同様に線ファスナーを用いることができる。
【００４１】
ロープ挿通部１９２は、図１から図３に示すように、一方の端部が第二開閉手段１９１を囲むように服本体１の内面側に接合された筒状に形成されている。また、他方の端部に第二空気漏れ防止手段１９３が備えられている。
ロープ挿通部１９２の材料としては、通気性のない又は通気性の小さい折り曲げ自在なシート状部材が用いられ、例えば、服本体１の服地と同じ材料を用いてもよいし、ビニール等の別の材料を用いてもよい。
【００４２】
第二空気漏れ防止手段１９３は、ロープ挿通部１９２の服本体１に接続されているのとは反対側の端部に、２カ所の引出口１９３２、１９３２を有する紐通し部１９３１を形成し、紐通し部１９３１に、これを一周する長さよりも長い紐１９３３を通し、紐１９３３の引出口１９３２，１９３２から外部に出ている２つの端部に、コードストッパー１９３４を備えることによって、形成されている。
これによって、紐１９３３の両端部を引っ張った上で、コードストッパー１９３４を、引出口１９３２、１９３２付近に固定することで、ロープ挿通部１９２の服本体１に接続されているのとは反対側の端部を、ハーネス型安全帯のロープを通した状態で密閉することが可能となる。
【００４３】
ロープ貫通手段１９は、これを使用しない場合には、ロープ挿通部１９２を第二開閉手段１９１を介して服本体１の内面側に押し込み、第二開閉手段１９１を閉じることによって、服本体１の内部に収納することができる。また、ロープ貫通手段１９を使用する際には、第二開閉手段１９１を開けて、ロープ挿通部１９２を引き出せばよい。
【００４４】
｛ファン｝
ファン２，２は、図１及び図２に示すように、ファン取付部１３，１３に取り付けられ、開口孔１３１，１３１を通して、服本体１と着用者の身体との間の空間に空気を導入するためのものである。すなわち、ファン２，２が本発明における空気導入手段として機能する。
ファン２，２には、電源部３より、接続ケーブル４を通じて必要な電力が供給される。
【００４５】
ファン２，２は、図４に示すように、ファン本体２１と、これを服本体１に固定するためのリング状の取付けリング２２と、を備える。
【００４６】
ファン本体２１は、内部にプロペラ（不図示）とプロペラを回転させるモーター（不図示）とを収納し、図４に示すように、ファン２、２の使用時において空気が取り込まれる側を構成する空気取込部２１１と、ファン２、２の使用時において空気が送出される側を構成する空気送出部２１２と、空気取込部２１１と空気送出部２１２の間の筒状の連結部である筒状部２１３と、筒状部２１３の空気取込部２１１側の端部から筒状部２１３の側面と略垂直な方向に突出するフランジ部２１４とを有する。筒状部２１３は、その中心軸に垂直な平面で切った際の断面の外形が円形となる円筒状に形成され、その外径は、開口孔１３１，１３１の内径と同一か極僅かに小さくなるように形成されている。
【００４７】
また、ファン本体２１は、空気送出部２１２側の所定の位置に、接続ケーブル４と接続される第一接続端子２１５を有する。第一接続端子２１５は、接続ケーブル４を接続し、電源部３から電力の供給を受けることができる端子であれば、その具体的な構成は任意である。
【００４８】
取付けリング２２は、ファン本体２１をファン取付部１３に取り付けるためのリング状の部材であり、その内径が筒状部２１３の外形と同一か、極僅かに大きくなるように形成されている。
【００４９】
筒状部２１３の外面と、取付けリング２２の内面と、には、例えば、取付けリング２２の内面側に凸部が形成され、筒状部２１３の外面側に当該凸部と係合する凹部を形成することにより、係止手段（不図示）が形成されている。
【００５０】
ファン２，２を服本体１に取り付ける際には、図４に示すように、ファン本体２１の空気送出部２１２側を、開口孔１３１に服本体１の外面側から挿入して、フランジ部２１４が、服本体１の開口孔１３１周囲の部分と接するようにする。次に、取付けリング２２を、服本体１の内面側から筒状部２１３の外側に差し込むことにより、フランジ部２１４と取付けリング２２とによって、服本体１の服地の開口孔１３１周囲の部分及び開口孔補強部材１３２の孔部１３２１の周囲の部分を挟み込み、その状態で係止手段によって取付けリング２２をファン本体２１に固定する。
これによって、ファン２を服本体１に固定することができる。
【００５１】
｛電源部｝
電源部３は、ファン２，２に電力を供給するための部材であり、例えば、安全保護回路が付加されたリチウムイオン組電池が内蔵され、接続ケーブル４を通じてファン２，２と接続するための、第二接続端子（不図示）を備える。
第二接続端子は、接続ケーブル４を接続し、ファン２，２に電力を供給することができる端子であれば、その具体的な構成は任意である。
また、図２に示したように、本実施形態においては、電源部３は、電源部保持手段１７としてのポケットに収納されているが、上記のように電源部３を保持するための手段はこれに限られない。
【００５２】
電源部３には、制御手段（不図示）が備えられ、着用者の操作に対応して、複数段階の強度でファンに電力を供給できるようになっている。
【００５３】
制御手段は、例えば、リチウムイオン組電池等から供給される電力を複数段階の強度に変換する電力変換回路（不図示）と、電源部３の電池の残量を測定する残量測定回路（不図示）と、電力変換回路に強度を指示する強度指示回路（不図示）と、からなる。
【００５４】
また、電源部３は、例えばＬＥＤ等からなり、ファン２，２の電源のオン／オフや、供給している電力の強度等を着用者に表示する表示手段（不図示）と、例えばタクタイルスイッチからなり、電源のオン／オフの切り替え、ファン２，２に供給する電力の強度の切り替え等の操作に使用される操作手段（不図示）と、を備える。
【００５５】
これによって、着用者が表示手段の表示を確認しつつ、操作手段を操作することで、制御手段によって、ファン２、２の電源のオン・オフや、電源部３からファン２，２に供給される電力の強度等を切り替えることができる。
【００５６】
なお、制御手段、表示手段及び操作手段は、電源部３に備えられる場合に限られず、例えば、これらを備える独立した制御部を構成し、接続ケーブル４の、電源部３とファン２，２との間の所定の位置に配置されていてもよい。
【００５７】
｛接続ケーブル｝
接続ケーブル４は、電源部３とファン２，２とを接続するケーブルである。接続ケーブル４を通じて、電源部３からファン２，２に対して、ファン２，２の稼働に必要な電力が供給される。すなわち、接続ケーブル４が本発明における接続手段として機能する。
【００５８】
接続ケーブル４は、一方の端部に、電源部に備えられた第二接続端子と接続するための第三接続端子（不図示）を有し、他方の端部は二股に枝分かれし、それぞれの端部に、ファン２，２に備えられた第一接続端子２１５，２１５と接続するための第四接続端子（不図示）を有し、図２に示すように、電源部３と、ファン２，２とを接続する。
なお、接続ケーブル４は、電源部３からファン２，２に対して、ファン２，２の稼働に必要な電力を供給できるものであればよく、その具体的な構成は任意である。
【００５９】
接続ケーブル４は、図２に示すように、ケーブル保持手段１８、１８によって、服本体１の内面側に保持されている。
【００６０】
［実施形態の効果］
ロープを取り付けるための連結器が、着用者が落下した際に着用者の腰部から着用者の背中の中央部付近に移動するように構成されたハーネス型安全帯の上に、実施形態に係る空調衣服１００が着用された場合において、着用者が実際に落下すると、連結器に接続されたロープによって、服本体１の後身頃が上方へと引っ張られる。
この際に、分割手段１６において、服本体１の後身頃が左右に分割され、連結器に接続されたロープは、分割された分割手段１６を通って、上方へと移動することとなる。したがって、空調衣服の裾がロープによって捲り上げられてしまうことを防止することができる。
【００６１】
また、分割手段１６，１６は、着用者の落下時以外には、線ファスナー、面ファスナー等によって接続されているため、服本体１の気密性に問題が生じることもない。
【００６２】
また、分割手段１６，１６が、服本体１の後身頃の左右両側に備えられていることによって、ロープを取り付けるための連結器が着用者の腰部の左側に配置されるハーネス型安全帯と、着用者の腰部の右側に配置されるハーネス型安全帯と、の両者に対応することができる。
【００６３】
また、ロープ貫通手段１９が、服本体１に後身頃の上部に備えられていることによって、
着用者の背上部付近に固定されたロープも備え、２本のロープによって着用者を支えるように構成されたハーネス型安全帯にも対応することができる。
【００６４】
また、接続ケーブル４を保持するケーブル保持手段１８が、分割手段１６，１６の上端部よりも上方に備えられていることによって、ハーネス型安全帯のロープが分割手段１６を通って上方へと移動することが、接続ケーブル４によって妨げられることを防止することができる。
【００６５】
［変形例］
図５に示す空調衣服１００Ａのように、２つの電源部３，３を備え、それぞれの電源部３から、両端部共に二股となっていない接続ケーブル４Ａを介して、それぞれのファン２に別個に電力が供給されるようにしてもよい。
この場合、図５に示すように、服本体１Ａの前身頃の左右に、二つの電源部保持手段１７，１７としてのポケットを備え、それぞれに電源部３、３が収納されることが好ましいが、必ずしもポケットを用いる必要はなく、さらに、例えば着用者のズボンのベルトや、ハーネス型安全帯のベルトの所定の位置に、電源部３、３をクリップ等を用いて取り付けることにより、電源部３が服本体に装着されないようにすることも可能である。
【００６６】
本変形例によれば、ケーブル保持手段１８、１８を備えずとも、ハーネス型安全帯のロープが分割手段１６を通って上方へと移動することが、接続ケーブル４Ａ，４Ａによって妨げられることを防止することができる。
なお、服本体は、二つの電源部保持手段１７、１７を備えるとともに、さらにケーブル保持手段１８、１８を備えていてもよい。この場合、服本体を、図２に示す単一の電源部３からファン２、２に電力が供給される場合と、図５に示す二つの電源部３、３を備え、それぞれのファン２に別個に電力が供給される場合の両者に用いることができる。
【符号の説明】
【００６７】
１００、１００Ａ  空調衣服
１、１Ａ  服本体
１３  ファン取付部（取付部）
１４  襟部空気排出部
１５  袖部空気排出部
１６  分割手段
１８  ケーブル保持手段
１９  ロープ貫通手段
２  ファン（空気導入手段）
３  電源部（電源手段）
４、４Ａ  接続ケーブル（接続手段）
【図１】
0003216874.tif 000003
【図２】
0003216874.tif 000004
【図３】
0003216874.tif 000005
【図４】
0003216874.tif 000006
【図５】
0003216874.tif 000007